(57)【要約】【課題】排泄物を収容するポケットが設けられた吸収性物品において、ポケットの収容力低下を抑制しつつポケットの内部空間を維持する。【解決手段】吸収性物品１は、バックシート部材２３、バックシート部材２３に外縁部が接合される吸収性シート部材２０、および、バックシート部材２３と吸収性シート部材２０との間にて吸収性シート部材２０の開口２５近傍に配置される一対のスペーサ部材２４１を備える。吸収性物品１では、吸収性シート部材２０がスペーサ部材２４１により支持されることにより、前部ポケット２６、側部ポケット２８および後部ポケット２７の内部空間が維持される。また、スペーサ部材２４１が螺旋状とされることにより、スペーサ部材２４１を軟便等の排泄物が通過可能とされる。その結果、ポケットへの排泄物の収容がスペーサ部材２４１により阻害されることが防止され、ポケットの排泄物の収容力低下が抑制される。【選択図】図１
2010284243.tif 000002
【特許請求の範囲】
【請求項１】
着用者からの排泄物を受ける吸収性物品であって、
バックシート部材と、
前記バックシート部材上に重ねられて前記バックシート部材に外縁部が接合されることにより、前記バックシート部材が露出する開口を着用者の股間部に対向する位置に設ける吸収性シート部材と、
前記バックシート部材と前記吸収性シート部材との間に配置されるスペーサと、
を備え、
前記吸収性シート部材が、
前記開口に隣接する吸収コアと、
前記吸収コアを被覆する透液性のコア被覆シートと、
を備え、
前記吸収コアと前記バックシート部材との間に前記開口から広がるポケットが形成され、
前記スペーサの少なくとも一部が、前記ポケット内にて前記開口近傍に位置し、
前記スペーサが、排泄物が通過可能な穴を有し、または、前記バックシート部材もしくは前記吸収性シート部材との間にて排泄物が通過可能な通路を形成する構造を有し、前記スペーサを前記排泄物が通過可能とされる、または、前記排泄物を前記スペーサの内部空間へと導くことが可能とされることを特徴とする吸収性物品。
【請求項２】
請求項１に記載の吸収性物品であって、
前記スペーサが前記吸収性シート部材に接合され、前記バックシート部材に非接合とされることを特徴とする吸収性物品。
【請求項３】
請求項１または２に記載の吸収性物品であって、
前記スペーサが、前記開口の左右に位置する一対のスペーサ部材を含むことを特徴とする吸収性物品。
【請求項４】
請求項３に記載の吸収性物品であって、
前記吸収コアが、前記着用者の後側に配置される後部吸収コアを含み、前記後部吸収コアと前記バックシート部材との間に、前記ポケットである、または、前記ポケットの一部である後部ポケットが形成され、
前記一対のスペーサ部材が、前記開口の左右から前記後部ポケット内まで伸びることを特徴とする吸収性物品。
【請求項５】
請求項３または４に記載の吸収性物品であって、
前記吸収コアが、前記開口の左右に配置されて前記一対のスペーサ部材の少なくとも一部と重なる一対の側部吸収コアを含むことを特徴とする吸収性物品。
【請求項６】
請求項５に記載の吸収性物品であって、
前記一対の側部吸収コアと前記バックシート部材との間に、前記ポケットである、または、前記ポケットの一部である一対の側部ポケットが形成され、
前記一対のスペーサ部材の前記少なくとも一部が、前記一対の側部ポケット内に位置することを特徴とする吸収性物品。
【請求項７】
請求項３ないし６のいずれかに記載の吸収性物品であって、
前記吸収性シート部材が、前記一対のスペーサ部材に沿って前記コア被覆シートに接合されて前記一対のスペーサ部材に収縮力を与える一対の弾性部材をさらに備えることを特徴とする吸収性物品。
【請求項８】
請求項１ないし７のいずれかに記載の吸収性物品であって、
前記スペーサが、側面に複数の穴が形成された円筒部材であることを特徴とする吸収性物品。
【請求項９】
請求項１ないし７のいずれかに記載の吸収性物品であって、
前記スペーサの形状が、螺旋状であることを特徴とする吸収性物品。
【請求項１０】
請求項１ないし９のいずれかに記載の吸収性物品であって、
前記吸収性シート部材の左右両側部上において前記長手方向に伸びる一対の側壁部をさらに備えることを特徴とする吸収性物品。
【請求項１１】
請求項１ないし１０のいずれかに記載の吸収性物品であって、
前記吸収コアが前記着用者の前側に配置される前部吸収コアを含み、
前記前部吸収コアと前記バックシート部材との間に、前記ポケットである、または、前記ポケットの一部である前部ポケットが形成されることを特徴とする吸収性物品。
【請求項１２】
請求項１ないし１１のいずれかに記載の吸収性物品であって、
着用者が着用する外装物品の内側に取り付けられる補助吸収具であることを特徴とする吸収性物品。
【請求項１３】
着用者からの排泄物を受ける吸収性物品であって、
バックシート部材と、
前記バックシート部材上に重ねられて前記バックシート部材に外縁部が接合されることにより、前記バックシート部材が露出する開口を着用者の股間部に対向する位置に設ける吸収性シート部材と、
前記バックシート部材と前記吸収性シート部材との間に配置され、前記開口の左右において前記バックシート部材の長手方向に伸びる一対のスペーサ部材を含むスペーサと、
を備え、
前記吸収性シート部材が、
前記開口に隣接する吸収コアと、
前記吸収コアを被覆する透液性のコア被覆シートと、
前記一対のスペーサ部材に沿って前記コア被覆シートに接合されて前記スペーサに収縮力を与える一対の弾性部材と、
を備え、
前記吸収コアと前記バックシート部材との間に前記開口から広がるポケットが形成されることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品では、水分を多く含む軟便が排泄された場合に、軟便が着用者と吸収性物品との間で広がって着用者の肌に広範囲に亘って付着することを防止するため、様々な提案が行われている。
【０００３】
例えば、特許文献１の吸収性使い捨て用品では、開口部を有する表面シートの周縁部を不透液性の裏面シートに接合し、開口部を通過した軟便を表面シートと裏面シートとの間の空間に収容することにより、着用者に対する軟便の付着防止が図られている。特許文献１では、ゴムや高分散相乳濁液フォーム等により形成された略環状のスペーサを開口部の周縁に沿って設けることにより、開口部の形状維持を図るとともに表面シートと裏面シートとの間の空間の維持を図る技術が開示されている。
【０００４】
特許文献２では、内部に空気を充填して膨張させた略Ｕ字型の排泄補助用具が開示されている。おむつの着用時には、排泄補助用具が着用者の臀部とおむつとの間に挿入され、おむつと身体との間に排泄用空間が得られ、排泄物が当該排泄用空間に収容される。
【先行技術文献】
【特許文献】
【０００５】
【特許文献１】特表平７−５０７７０３号公報
【特許文献２】特開２００５−１４４１３０号公報号公報
【発明の概要】
【発明が解決しようとする課題】
【０００６】
ところで、特許文献１の吸収性使い捨て用品では、表面シートと裏面シートとの間の空間の容積がスペーサの体積分だけ減少してしまい、排泄物の収容力が低下してしまう。また、当該吸収性使い捨て用品では、着用者の体圧等により環状のスペーサが表面シートと裏面シートとの間に強く挟まれた場合、スペーサにより囲まれた比較的小さな空間に収容された軟便は、当該空間から外側へと移動することができない。このため、軟便が当該空間から開口部を介して着用者側へと溢れ出し、着用者の肌に広範囲に亘って付着するおそれがある。
【０００７】
一方、特許文献２の排泄補助用具を使用した場合、排泄用空間に収容された軟便と着用者との間を隔てる構成は設けられていないため、軟便が着用者の肌に広範囲に亘って付着することを防止することはできない。
【０００８】
本発明は、上記課題に鑑みなされたものであり、排泄物を収容するポケットが設けられた吸収性物品において、ポケットの収容力低下を抑制しつつポケットの内部空間を維持することを目的としている。
【課題を解決するための手段】
【０００９】
請求項１に記載の発明は、着用者からの排泄物を受ける吸収性物品であって、バックシート部材と、前記バックシート部材上に重ねられて前記バックシート部材に外縁部が接合されることにより、前記バックシート部材が露出する開口を着用者の股間部に対向する位置に設ける吸収性シート部材と、前記バックシート部材と前記吸収性シート部材との間に配置されるスペーサとを備え、前記吸収性シート部材が、前記開口に隣接する吸収コアと、前記吸収コアを被覆する透液性のコア被覆シートとを備え、前記吸収コアと前記バックシート部材との間に前記開口から広がるポケットが形成され、前記スペーサの少なくとも一部が、前記ポケット内にて前記開口近傍に位置し、前記スペーサが、排泄物が通過可能な穴を有し、または、前記バックシート部材もしくは前記吸収性シート部材との間にて排泄物が通過可能な通路を形成する構造を有し、前記スペーサを前記排泄物が通過可能とされる、または、前記排泄物を前記スペーサの内部空間へと導くことが可能とされる。
【００１０】
請求項２に記載の発明は、請求項１に記載の吸収性物品であって、前記スペーサが前記吸収性シート部材に接合され、前記バックシート部材に非接合とされる。
【００１１】
請求項３に記載の発明は、請求項１または２に記載の吸収性物品であって、前記スペーサが、前記開口の左右に位置する一対のスペーサ部材を含む。
【００１２】
請求項４に記載の発明は、請求項３に記載の吸収性物品であって、前記吸収コアが、前記着用者の後側に配置される後部吸収コアを含み、前記後部吸収コアと前記バックシート部材との間に、前記ポケットである、または、前記ポケットの一部である後部ポケットが形成され、前記一対のスペーサ部材が、前記開口の左右から前記後部ポケット内まで伸びる。
【００１３】
請求項５に記載の発明は、請求項３または４に記載の吸収性物品であって、前記吸収コアが、前記開口の左右に配置されて前記一対のスペーサ部材の少なくとも一部と重なる一対の側部吸収コアを含む。
【００１４】
請求項６に記載の発明は、請求項５に記載の吸収性物品であって、前記一対の側部吸収コアと前記バックシート部材との間に、前記ポケットである、または、前記ポケットの一部である一対の側部ポケットが形成され、前記一対のスペーサ部材の前記少なくとも一部が、前記一対の側部ポケット内に位置する。
【００１５】
請求項７に記載の発明は、請求項３ないし６のいずれかに記載の吸収性物品であって、前記吸収性シート部材が、前記一対のスペーサ部材に沿って前記コア被覆シートに接合されて前記一対のスペーサ部材に収縮力を与える一対の弾性部材をさらに備える。
【００１６】
請求項８に記載の発明は、請求項１ないし７のいずれかに記載の吸収性物品であって、前記スペーサが、側面に複数の穴が形成された円筒部材である。
【００１７】
請求項９に記載の発明は、請求項１ないし７のいずれかに記載の吸収性物品であって、前記スペーサの形状が、螺旋状である。
【００１８】
請求項１０に記載の発明は、請求項１ないし９のいずれかに記載の吸収性物品であって、前記吸収性シート部材の左右両側部上において前記長手方向に伸びる一対の側壁部をさらに備える。
【００１９】
請求項１１に記載の発明は、請求項１ないし１０のいずれかに記載の吸収性物品であって、前記吸収コアが前記着用者の前側に配置される前部吸収コアを含み、前記前部吸収コアと前記バックシート部材との間に、前記ポケットである、または、前記ポケットの一部である前部ポケットが形成される。
【００２０】
請求項１２に記載の発明は、請求項１ないし１１のいずれかに記載の吸収性物品であって、着用者が着用する外装物品の内側に取り付けられる補助吸収具である。
【００２１】
請求項１３に記載の発明は、着用者からの排泄物を受ける吸収性物品であって、バックシート部材と、前記バックシート部材上に重ねられて前記バックシート部材に外縁部が接合されることにより、前記バックシート部材が露出する開口を着用者の股間部に対向する位置に設ける吸収性シート部材と、前記バックシート部材と前記吸収性シート部材との間に配置され、前記開口の左右において前記バックシート部材の長手方向に伸びる一対のスペーサ部材を含むスペーサとを備え、前記吸収性シート部材が、前記開口に隣接する吸収コアと、前記吸収コアを被覆する透液性のコア被覆シートと、前記一対のスペーサ部材に沿って前記コア被覆シートに接合されて前記スペーサに収縮力を与える一対の弾性部材とを備え、前記吸収コアと前記バックシート部材との間に前記開口から広がるポケットが形成される。
【発明の効果】
【００２２】
請求項１ないし１２の発明では、ポケットの収容力低下を抑制しつつポケットの内部空間を維持することができる。また、請求項５の発明では、スペーサにより着用者の肌が強く圧迫されることを防止することができる。さらに、請求項７の発明では、吸収性物品を着用者の身体に沿うように容易に変形させることができる。一方、請求項１３の発明では、吸収性物品を着用者の身体に沿うように容易に変形させつつポケットの内部空間を維持することができる。
【図面の簡単な説明】
【００２３】
【図１】吸収性物品の平面図である。
【図２】吸収性物品の断面図である。
【図３】吸収性物品の断面図である。
【図４】吸収性物品の断面図である。
【図５】吸収性物品の断面図である。
【図６】吸収性物品の断面図である。
【図７】吸収性物品の断面図である。
【図８】バックシート部材の底面図である。
【図９】吸収性物品の一部を拡大して示す断面図である。
【図１０．Ａ】スペーサ部材の他の例を示す平面図である。
【図１０．Ｂ】スペーサ部材の他の例を示す平面図である。
【図１０．Ｃ】スペーサ部材の他の例を示す平面図である。
【図１０．Ｄ】スペーサ部材の他の例を示す平面図である。
【図１０．Ｅ】スペーサ部材の他の例を示す平面図である。
【図１０．Ｆ】スペーサ部材の他の例を示す平面図である。
【図１１】スペーサ部材の他の例を示す縦断面図である。
【図１２】スペーサ部材の他の例を示す縦断面図である。
【図１３】吸収性物品の他の例を示す平面図である。
【発明を実施するための形態】
【００２４】
図１は、本発明の一の実施の形態に係る吸収性物品１を長手方向に広げた状態にて示す平面図である。吸収性物品１は、着用者が着用する外装物品である使い捨ておむつ等の内側に取り付けられ、着用者からの軟便等の排泄物を受ける補助吸収具である。図１では、着用者に接する面（すなわち、着用者側）を手前側にして吸収性物品１を描いている。
【００２５】
図１に示すように、吸収性物品１は、平面視において略矩形状である略シート状の本体部２、および、本体部２の左右方向（本体部２の幅方向であり、図１中の左右方向に一致する。）の両側において左右方向に垂直な長手方向（すなわち、図１中の上下方向）のおよそ全長に亘って設けられた一対のサイドシート３を備える。本体部２の図１中における上側の部位は着用者の前側（腹側）の肌に接する部位であり、下側の部位は着用者の後側（背側）の肌に接する部位である。
【００２６】
図２ないし図６はそれぞれ、図１中に示すＡ−ＡないしＥ−Ｅの位置にて、吸収性物品１を長手方向に垂直な面で切断した断面図である。また、図７は、吸収性物品１を図１中に示すＦ−Ｆの位置にて左右方向に垂直な面で切断した断面図である。図２ないし図６に示すように、一対のサイドシート３はそれぞれ、本体部２に接合される帯状の部位である接合部３３、接合部３３に連続するとともに少なくとも一部が起立する側壁部３４、および、側壁部３４に長手方向に沿って接合される側壁部弾性部材３２を備える。本実施の形態では、側壁部弾性部材３２は、図１ないし図６に示すように３本の弾性糸３２１を有し、３本の弾性糸３２１のうちの１本は側壁部３４の着用者側の端部である自由端近傍に接合される。
【００２７】
吸収性物品１では、サイドシート３が、本体部２の上側（図２ないし図６中の上側に一致する。）にて左右方向の外側（すなわち、左右方向における吸収性物品１の中心線とは反対側）に折り返されることにより側壁部３４が形成されており、側壁部３４は、図２および図６に示すように、長手方向の両端部にて接合部３３上に接合される。吸収性物品１では、側壁部３４に設けられた側壁部弾性部材３２が収縮することにより、図３ないし図５に示すように、側壁部３４の長手方向の両端部を除く部位が本体部２の側方において着用者側に向かって起立し、着用時に着用者の足の付け根近傍に当接する立体ギャザーが形成される。また、側壁部３４が接合部３３の内側エッジから左右方向の外側へと広がるように折り返されることにより、立体ギャザーが左右方向において着用者の肌の広い範囲に亘って密着する。
【００２８】
サイドシート３は、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）を、長手方向に伸びる折り曲げ線にて２つ折りにし、折り重ねられた２つの部位の間に側壁部弾性部材３２を挟むことにより形成される。側壁部弾性部材３２としては、例えば、ポリウレタン糸、帯状のポリウレタンフィルム、糸状または帯状の天然ゴム等が用いられ、本実施の形態では、弾性糸３２１としてポリウレタン糸が利用される。
【００２９】
本体部２は、図１ないし図７に示すように、バックシート部材２３、および、バックシート部材２３上（すなわち、バックシート部材２３の着用者側）に重ねられてバックシート部材２３に外縁部が接合される吸収性シート部材２０を備える。吸収性シート部材２０の長手方向のおよそ中央から後側（背側）には、図１、図３、図４および図７に示すように、着用者の股間部から臀部に至る部位に対向する開口２５が形成されており、開口２５の左右方向の幅は、吸収性物品１の幅よりも小さくされる。バックシート部材２３は、吸収性シート部材２０の開口２５に重なって（すなわち、着用者の股間部から臀部に至る部位に対向する位置に設けられた開口２５から露出して）着用者の股間部から臀部に至る部位に直接対向する露出領域２３４を有する。
【００３０】
吸収性シート部材２０は、図１に示すように、開口２５に隣接する吸収コア２２を備え、吸収コア２２は、吸収性物品１の着用時に着用者の前側（腹側）に配置される前部吸収コア２２１、開口２５の左右方向の両側に配置される一対の側部吸収コア２２２、および、着用者の後側に配置される後部吸収コア２２３を含む。前部吸収コア２２１、側部吸収コア２２２および後部吸収コア２２３は、吸収性シート部材２０の長手方向（バックシート部材２３の長手方向でもある。）に連続して一体的に形成される。図１中では、図の理解を容易にするために、吸収コア２２の輪郭を太い破線にて描くとともに吸収コア２２に平行斜線を付す。また、吸収性シート部材２０は、図７に示すように、前部吸収コア２２１、側部吸収コア２２２（図７では示されない。）および後部吸収コア２２３のそれぞれの上面および下面（すなわち、吸収コア２２の着用者側およびバックシート部材２３側の面）を被覆する透液性のコア被覆シート２１を備える。
【００３１】
図１ないし図７に示す吸収性シート部材２０の吸収コア２２は、粉砕したパルプ繊維やセルロース繊維等の親水性繊維に粒状の吸水性ポリマー（例えば、ＳＡＰ（Super Absorbent Polymer））を混合したものをティッシュペーパーや透液性不織布等により包み込んで形成され、コア被覆シート２１を透過した水分を吸収して迅速に固定する。親水性繊維を包むティッシュペーパーや透液性不織布等は、親水性繊維および吸水性ポリマーとホットメルト接着剤により接合されて、親水性繊維の型崩れ、および、吸水性ポリマーの脱落（特に、吸水後における脱落）を防止する。本実施の形態では、吸収コア２２はパルプ繊維およびＳＡＰを含む。
【００３２】
図２ないし図７に示すコア被覆シート２１は、透液性のシート材料、例えば、親水性繊維により形成された不織布であり、着用者からの排泄物の水分を速やかに捕捉して吸収コア２２へと移動させる。コア被覆シート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、コア被覆シート２１として、表面を界面活性剤により親水処理した疎水性繊維（例えば、ポリプロピレン、ポリエチレン、ポリエステル、ポリアミド、ナイロン）にて形成された透液性の不織布が利用されてもよい。
【００３３】
図１に示すように、前部吸収コア２２１の長手方向の長さは、一対の側部吸収コア２２２のそれぞれの長手方向の長さにおよそ等しく、後部吸収コア２２３の長手方向の長さは、前部吸収コア２２１の長手方向の長さよりも小さい。また、一対の側部吸収コア２２２の一方の外側縁から他方の外側縁までの左右方向の距離は、後部吸収コア２２３の左右方向の幅におよそ等しく、前部吸収コア２２１の左右方向の幅は、後部吸収コア２２３の左右方向の幅よりも小さい。吸収性物品１では、本体部２の前側の部位の左右方向の幅も、本体部２の後側の部位の左右方向の幅よりも小さい。
【００３４】
吸収性物品１では、前部吸収コア２２１の開口２５近傍のコアエッジ、および、開口２５の前部吸収コア２２１側のエッジは長手方向に関して凹状となっており、前部吸収コア２２１には、コアエッジから長手方向に沿って伸びるスリット２２１１が形成されている。また、後部吸収コア２２３の開口２５近傍のコアエッジ、および、開口２５の後部吸収コア２２３側のエッジは、左右方向におよそ平行とされる。図２ないし図７に示すように、コア被覆シート２１は、吸収コア２２（すなわち、前部吸収コア２２１、一対の側部吸収コア２２２および後部吸収コア２２３）の上面を覆う第１被覆シート２１１、並びに、吸収コア２２の下面を覆う第２被覆シート２１２を備える。
【００３５】
吸収性物品１は、図１ないし図４に示すように、バックシート部材２３と吸収性シート部材２０との間にて開口２５近傍に配置されるスペーサ２４を備え、スペーサ２４は、開口２５の左右両側における開口２５の側縁と吸収性物品１の側方エッジとの間に位置するとともに長手方向に伸びる一対のスペーサ部材２４１を有する。一対のスペーサ部材２４１は、その一部が開口２５の左右両側において一対の側部吸収コア２２２に平面視にて重なっており、他の部位は、側部吸収コア２２２から後部吸収コア２２３に重なる位置まで（すなわち、後述する後部ポケット２７内まで）伸びている。図１では、図の理解を容易にするために、スペーサ部材２４１を細実線にて描いている（図１３においても同様）。
【００３６】
各スペーサ部材２４１は、比較的高い柔軟性を有するとともに圧力が加えられた場合に潰れにくい材料である軟質プラスチック等の樹脂により形成された螺旋状（すなわち、圧縮コイルバネの形状）の部材である。スペーサ部材２４１の吸収性シート部材２０と対向する部位には、スペーサ部材２４１の幅（直径）よりも細い帯状の不織布（図示省略）がホットメルト接着剤等により接合されている。スペーサ部材２４１は、当該帯状の不織布を介して吸収性シート部材２０の第２被覆シート２１２にホットメルト接着剤等により接合されており、バックシート部材２３には非接合とされる。なお、スペーサ部材２４１の吸収性シート部材２０への接合は、超音波接合や熱融着により行われてもよい。また、スペーサ部材２４１のバックシート部材２３と対向する部位にも、上記と同様の、スペーサ部材２４１の幅よりも細い帯状の不織布がホットメルト接着剤等により接合されてもよい。このように、スペーサ部材２４１の上下に帯状の不織布が接合されることにより、スペーサ部材２４１の取り扱いが容易となる。
【００３７】
吸収性シート部材２０は、また、図１ないし図６に示すように、開口２５の左右方向の両側にて一対のスペーサ部材２４１に沿って長手方向に伸びる一対のコア部弾性部材２９を備える。コア部弾性部材２９としては、例えば、ポリウレタン糸、帯状のポリウレタンフィルム、糸状または帯状の天然ゴム等が用いられ、本実施の形態では、各コア部弾性部材２９はポリウレタンにより形成された２本の弾性糸２９１を有する。
【００３８】
図１に示すように、一対のコア部弾性部材２９は、平面視において一対の側部吸収コア２２２に重なっており、コア部弾性部材２９の長手方向の前側の部位は、開口２５の側方から前部吸収コア２２１の側部まで（すなわち、平面視において前部吸収コア２２１の両側端部におよそ重なる位置まで）伸びている。また、コア部弾性部材２９の長手方向の後側の部位は、開口２５の側方から後部吸収コア２２３に重なる位置まで伸びている。図１、図３および図４に示すように、開口２５の側方では、コア部弾性部材２９は、左右方向における側部吸収コア２２２の中央に、または、当該中央よりも開口２５側（すなわち、内側）に偏って配置される。
【００３９】
一対のコア部弾性部材２９は、図２ないし図６に示すように、吸収コア２２のバックシート部材２３に対向する面にて吸収コア２２とコア被覆シート２１の第２被覆シート２１２との間に配置され、伸張状態にて第２被覆シート２１２および吸収コア２２に接合される。吸収性物品１では、一対のコア部弾性部材２９が収縮することにより、長手方向において一対のスペーサ部材２４１、および、一対の側部吸収コア２２２に収縮力が作用する。これにより、側部吸収コア２２２が上側へと移動してバックシート部材２３から離間するとともに、前部吸収コア２２１および後部吸収コア２２３が互いに他方に向かって引き寄せられ、吸収性物品１の前側および後側の部位が着用者に沿うように変形する。また、スペーサ部材２４１も側部吸収コア２２２と共に着用者に沿うように変形する。
【００４０】
吸収性物品１では、図３および図４に示すように、開口２５の左右方向の両側において、側部吸収コア２２２がバックシート部材２３と非接合とされることにより、一対の側部吸収コア２２２とバックシート部材２３との間（すなわち、吸収性シート部材２０の一対の側部吸収コア２２２に対応する部位とバックシート部材２３との間）に、開口２５から左右に広がる一対の側部ポケット２８が形成される。側部ポケット２８内には、一対のスペーサ部材２４１の一部が配置される。
【００４１】
バックシート部材２３は、図２ないし図７に示すように、撥水性または不透液性の外装シート２３１、外装シート２３１上（すなわち、外装シート２３１の着用者側）に設けられた非常に薄い吸収シート２３３、並びに、外装シート２３１および吸収シート２３３上に積層された親水性シート２３２を備える。図２ないし図７では、図示の都合上、吸収シート２３３を太実線にて示している。
【００４２】
外装シート２３１としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用され、バックシート部材２３に到達した排泄物の水分等が、本体部２の外側にしみ出すのを防止する。外装シート２３１にプラスチックフィルムが利用される場合、吸収性物品１のムレを防止して着用者の快適性を向上するという観点からは、透湿性（通気性）を有するプラスチックフィルムが利用されることが好ましい。
【００４３】
吸収シート２３３は、２枚のシート、および、当該２枚のシートの間に設けられた高吸収性樹脂層を備え、高吸収性樹脂層は、ＳＡＰ等の粒状の吸水性ポリマーをホットメルト接着剤により２枚のシートに固定することにより形成される。２枚のシートとしては、親水性繊維により形成される不織布、親水処理した疎水性繊維により形成される不織布、あるいは、ティッシュ等が利用される。高吸収性樹脂層（すなわち、粒状の吸水性ポリマー）は、上記２枚のシートの間で長手方向に伸びるストライプ状に配置される。換言すれば、長手方向に伸びる複数の高吸収性樹脂層のそれぞれの間に、吸水性ポリマーが存在しない領域が設けられる。そして、吸水性ポリマーが存在しない領域において２枚のシートが接合されることにより、複数の高吸収性樹脂層がそれぞれ封止される。
【００４４】
なお、吸収シート２３３に代えて、ＳＡＰ等の粒状の吸水性ポリマーを外装シート２３１上に散布し、ホットメルト接着剤等により外装シート２３１に接着することにより、高吸収性樹脂層が外装シート２３１上に直接形成されてもよい。また、親水性シート２３２としては、好ましくは、セルロースやレーヨン、コットン等の親水性繊維により形成された不織布（例えば、スパンレース不織布）、あるいは、表面を界面活性剤により親水処理した疎水性繊維（例えば、ポリプロピレン、ポリエチレン、ポリエステル、ポリアミド、ナイロン）にて形成された透液性の不織布が利用される。
【００４５】
バックシート部材２３の外装シート２３１は、図２ないし図６に示すように、本体部２の左右方向の両側において吸収性シート部材２０の第１被覆シート２１１の側端部に接合される。また、一対のサイドシート３は、バックシート部材２３の外装シート２３１の外面（すなわち、着用者とは反対側の面）に接合される。
【００４６】
本体部２では、図１に示す吸収性シート部材２０の前部吸収コア２２１の周囲が、開口２５およびその周辺部を除いてバックシート部材２３の着用者側の面と接合されることにより、図５ないし図７に示すように、前部吸収コア２２１とバックシート部材２３との間（すなわち、吸収性シート部材２０の前部吸収コア２２１に対応する部位とバックシート部材２３との間）に開口２５から長手方向の前方に広がる前部ポケット２６が形成される。また、図２および図７に示すように、吸収性シート部材２０の後部吸収コア２２３の周囲が、開口２５およびその周辺部を除いてバックシート部材２３の着用者側の面と接合されることにより、後部吸収コア２２３とバックシート部材２３との間に後部ポケット２７が形成される。図１に示す吸収性物品１では、前部ポケット２６および後部ポケット２７は、一対の側部ポケット２８と連続しており、以下の説明では、前部ポケット２６、一対の側部ポケット２８および後部ポケット２７をまとめて、単に「ポケット」ともいう。換言すれば、前部ポケット２６、一対の側部ポケット２８および後部ポケット２７はそれぞれ、上記ポケットの一部である。
【００４７】
本実施の形態では、開口２５が吸収性シート部材２０の長手方向の中央部から後側の部位にかけて設けられており、上述のように、前部吸収コア２２１が後部吸収コア２２３よりも長くなっている。このため、前部ポケット２６の長手方向の長さが後部ポケット２７の長手方向の長さよりも大きくなる。
【００４８】
図６に示すように、吸収性物品１では、前部ポケット２６の左右方向の両側において、バックシート部材２３の側端部２３５が、コア被覆シート２１およびサイドシート３と共に、着用者とは反対側にて左右方向の内側に向かって折り返され、バックシート部材２３の側端部２３５と対向する部位上にホットメルト接着剤や熱圧着等により固定される。以下、ホットメルト接着剤等により固定されたバックシート部材２３の左右方向の両側の側端部２３５を「折り返し部２３５」という。本実施の形態では、折り返し部２３５の左右方向の幅は、長手方向のおよそ全長に亘って一定とされる。
【００４９】
図８は、着用者とは反対側からバックシート部材２３を見た底面図である。図８では、吸収性シート部材２０の開口２５（図１参照）と重なる露出領域２３４を二点鎖線にて囲んでおり、図８中において露出領域２３４よりも上側および下側にそれぞれ前部ポケット２６および後部ポケット２７が形成され、露出領域２３４の左右両側に側部ポケット２８が形成されている。また、図８では、図の理解を容易にするために、折り返し部２３５に平行斜線を付す。
【００５０】
図５、図６および図８に示すように、長手方向に沿って伸びる一対の折り返し部２３５は、前部ポケット２６に重なる位置からバックシート部材２３の開口２５内の露出領域２３４まで、または、露出領域２３４の近傍まで伸びる。本実施の形態では、各折り返し部２３５が、前部ポケット２６の長手方向の前端部から露出領域２３４と前部ポケット２６との間の境界近傍まで（すなわち、前部ポケット２６の長手方向のおよそ全長に亘って）設けられる。さらに、露出領域２３４またはその側方において、バックシート部材２３の着用者側とは反対側に折り返された側端部はバックシート部材２３上には固定されず、図４に示すように、前部ポケット２６から離れるに従って左右方向の外側へと広がる（すなわち、折り返しが漸次解消される）。そして、図４および図８に示すように、一対の折り返し部２３５から連続する一対の折り目２３６が露出領域２３４、または、露出領域２３４の左右方向の側方に形成される。
【００５１】
折り目２３６は、露出領域２３４と前部ポケット２６との間の境界上、または、当該境界の左右方向への延長線上において、吸収性物品１の側部エッジ（すなわち、吸収性物品１の最も幅が大きい後側の部位におけるエッジ）よりも左右方向の内側に位置する。また、前部ポケット２６内では、図６の左半分を拡大した図９に示すように、折り返し部２３５の着用者とは反対側の親水性シート２３２の面２３５１が、コア被覆シート２１の第２被覆シート２１２により覆われるとともに、当該面２３５１に対向する第２被覆シート２１２の面２１３と非接合とされる。なお、折り返し部２３５の親水性シート２３２の面２３５１は、必ずしも第２被覆シート２１２により覆われる必要はなく、コア被覆シート２１から連続する他の部材（例えば、サイドシート３）により覆われるとともに当該他の部材と非接合とされてもよい。
【００５２】
図１に示す吸収性物品１では、着用者から排泄された軟便等の排泄物が、開口２５を介してバックシート部材２３へと向かい、バックシート部材２３の露出領域２３４にて受けられる。露出領域２３４にて受けられた排泄物は、前部ポケット２６、側部ポケット２８および後部ポケット２７の内部空間へと移動して収容される。
【００５３】
吸収性物品１では、開口２５近傍に配置されたスペーサ２４により吸収性シート部材２０の開口２５近傍の部位が支持される。これにより、開口２５近傍における吸収性シート部材２０とバックシート部材２３との間の厚さ方向の距離を大きく維持し、前部ポケット２６、側部ポケット２８および後部ポケット２７の内部空間を開口２５近傍において維持することができる。その結果、排泄物を前部ポケット２６、側部ポケット２８および後部ポケット２７に確実に収容して保持することができ、排泄物が着用者の肌に広範囲に亘って付着することが防止される。
【００５４】
また、上述のように、スペーサ２４のスペーサ部材２４１が螺旋状とされることにより、スペーサ２４とバックシート部材２３との間、および、スペーサ２４と吸収性シート部材２０との間にて軟便等の排泄物が通過可能な通路が形成され、スペーサ２４を当該排泄物が通過可能とされる。これにより、内部空間にスペーサ２４が配置されるポケット（本実施の形態では、側部ポケット２８および後部ポケット２７）において、排泄物の収容がスペーサ２４により阻害されることが防止され、当該ポケットの排泄物の収容力低下を抑制することができる。
【００５５】
このように、吸収性物品１は、着用者の肌の比較的狭い範囲のみを覆うにも関わらず排泄物を確実に収容して保持することができるため、使い捨ておむつ等の外装物品の内側に取り付けられて容易に交換可能な補助吸収具に特に適している。
【００５６】
吸収性物品１では、スペーサ２４が開口２５の左右に位置する一対のスペーサ部材２４１を含むことにより、着用者の体圧により側部ポケット２８の内部空間が押し潰されてしまうことが防止される。また、一対のスペーサ部材２４１が開口２５の左右から後部ポケット２７内まで伸びることにより、着用者の体圧により後部ポケット２７の内部空間が押し潰されてしまうことが防止される。その結果、側部ポケット２８および後部ポケット２７に軟便等の排泄物を確実に収容することができるとともに、排泄物が側部ポケット２８および後部ポケット２７内に収容された後に側部ポケット２８および後部ポケット２７に体圧が加わった場合においても、排泄物が側部ポケット２８および後部ポケット２７から押し出されて着用者の肌に付着することを抑制することができる。
【００５７】
また、開口２５の左右両側に設けられた一対のスペーサ部材２４１により、吸収性物品１の開口２５の左右両側の部位の剛性が向上される。その結果、コア部弾性部材２９や側壁部弾性部材３２の収縮により吸収性シート部材２０の開口２５が長手方向に収縮することが抑制され、開口２５の長手方向の大きさを大きく維持することができる。
【００５８】
上述のように、吸収性物品１では、前部ポケット２６の左右方向の両側において、バックシート部材２３の側端部が着用者側とは反対側に折り返されてバックシート部材２３上に固定されることにより、長手方向に沿って伸びる一対の折り返し部２３５が形成され、一対の折り返し部２３５が、前部ポケット２６から露出領域２３４まで、または、露出領域２３４の近傍まで伸びる。これにより、前部ポケット２６から露出領域２３４にかけてのバックシート部材２３の長手方向の剛性を向上することができる。その結果、コア部弾性部材２９や側壁部弾性部材３２の収縮により吸収性シート部材２０の開口２５が長手方向に収縮することがより一層抑制され、開口２５の長手方向の大きさがより確実に大きく維持される。
【００５９】
吸収性物品１では、スペーサ２４が吸収性シート部材２０に接合されるとともにバックシート部材２３に非接合とされることにより、スペーサ２４の厚さ（すなわち、スペーサ部材２４１の径）以上に吸収性シート部材２０とバックシート部材２３とを離間させることができるため、側部ポケット２８および後部ポケット２７の容量を大きくすることができる。ただし、側部ポケット２８および後部ポケット２７の容量が十分に確保できるのであれば、スペーサ２４は吸収性シート部材２０およびバックシート部材２３の双方に、例えば、上述の帯状の不織布を介してホットメルト接着剤により接合されてもよい。
【００６０】
吸収性シート部材２０では、開口２５の左右方向の両側にて一対のスペーサ部材２４１に沿って長手方向に伸びる一対のコア部弾性部材２９が設けられる。そして、コア部弾性部材２９の収縮によりスペーサ２４の一対のスペーサ部材２４１に収縮力が与えられることにより、吸収性物品１を着用者の身体に沿うように容易に変形することができる。
【００６１】
スペーサ２４では、スペーサ部材２４１の形状が螺旋状とされることにより、軟便等の排泄物がスペーサ２４を容易に通過することができる。また、スペーサ部材２４１が着用者の姿勢に合わせて様々な方向に容易に変形するため、着用者の姿勢に関わらず吸収性物品１を着用者に密着させることができる。
【００６２】
吸収性物品１では、スペーサ２４が比較的高い柔軟性を有するとともに圧力が加えられた場合に潰れにくい材料である軟質プラスチック等の樹脂により形成されることにより、スペーサ２４により着用者の肌が強く圧迫されることが防止される。また、一対のスペーサ部材２４１と着用者との間に一対の側部吸収コア２２２が設けられることにより、スペーサ２４により着用者の肌が強く圧迫されることをより一層防止することができる。その結果、吸収性物品１の着用感を向上することができる。
【００６３】
吸収性物品１では、吸収性シート部材２０の左右両側部上において長手方向に伸びる一対の側壁部３４が設けられ、側壁部弾性部材３２により側壁部３４が収縮して立体ギャザーが形成されることにより、排泄物の一部が、前部ポケット２６、側部ポケット２８および後部ポケット２７に収容されなかった場合であっても、当該排泄物の一部が着用者の脚周りから漏出することを抑制することができる。吸収性物品１では、上述のように、一対のスペーサ部材２４１および一対の側部吸収コア２２２により開口２５の左右両側の部位の剛性が向上され、開口２５の長手方向の大きさを大きく維持することができる。このため、吸収性物品１の構造は、開口２５の左右両側において長手方向に収縮する側壁部３４を備える吸収性物品に特に適している。
【００６４】
図１０．Ａないし図１０．Ｆは、スペーサ部材の他の好ましい例を示す平面図である。図１０．Ａないし図１０．Ｆに示すスペーサ部材２４１ａ〜２４１ｆはそれぞれ、側面に複数の穴が形成された円筒部材である。本実施の形態では、比較的高い柔軟性を有するとともに圧力が加えられた場合に潰れにくいテフロン（登録商標）にて形成されたチューブ等がスペーサ部材２４１ａ〜２４１ｆとして利用される。図１０．Ａに示すスペーサ部材２４１ａの側面には円形の穴２４２ａが形成されており、図１０．Ｂに示すスペーサ部材２４１ｂの側面には、穴２４２ａよりも大きい円形の穴２４２ｂが形成されている。図１０．Ｃに示すスペーサ部材２４１ｃの側面には菱形の穴２４２ｃが形成されており、図１０．Ｄに示すスペーサ部材２４１ｄの側面には、穴２４２ｃよりも大きい菱形の穴２４２ｄが形成されている。図１０．Ｅに示すスペーサ部材２４１ｅの側面には長方形の穴２４２ｅが形成されており、図１０．Ｆに示すスペーサ部材２４１ｆの側面には楕円形の穴２４２ｆが形成されている。
【００６５】
図１０．Ａに示すスペーサ部材２４１ａを含むスペーサ２４では、スペーサ部材２４１ａが軟便等の排泄物が通過可能な複数の穴２４２ａを有するため、排泄物をスペーサ２４の内部空間（すなわち、円筒部材であるスペーサ部材２４１ａの内部空間）へと導くことが可能とされ、また、各スペーサ部材２４１の一方側の側面からスペーサ部材２４１の内部空間に導かれた排泄物をスペーサ部材２４１の他方側の側面からスペーサ部材２４１の外部へと導くことが可能とされる（すなわち、排泄物がスペーサ２４を通過可能とされる。）。
【００６６】
一対のスペーサ部材２４１（図１参照）に代えて一対のスペーサ部材２４１ａがスペーサ２４として設けられた吸収性物品１では、上記と同様に、スペーサ２４により図１に示す吸収性シート部材２０の開口２５近傍の部位が支持される。これにより、開口２５近傍における吸収性シート部材２０とバックシート部材２３との間の厚さ方向の距離を大きく維持し、前部ポケット２６、側部ポケット２８および後部ポケット２７の内部空間を開口２５近傍において維持することができる。また、当該吸収性物品１では、排泄物をスペーサ２４の内部空間へと導くことが可能とされ、または、排泄物がスペーサ２４を通過可能とされることにより、スペーサ２４が配置されるポケット（本実施の形態では、側部ポケット２８および後部ポケット２７）において、排泄物の収容がスペーサ２４により阻害されることが防止され、当該ポケットの排泄物の収容力低下を抑制することができる。さらに、スペーサ部材２４１ａが着用者の姿勢に合わせて様々な方向に容易に変形するため、着用者の姿勢に関わらず吸収性物品１を着用者に密着させることができる。
【００６７】
吸収性物品１では、スペーサ２４が、図１０．Ｂないし図１０．Ｆに示すスペーサ部材２４１ｂ〜２４１ｆを含む場合も同様に、ポケットの収容力低下を抑制しつつポケットの内部空間を維持することができるとともに、スペーサ部材２４１ｂ〜２４１ｆが着用者の姿勢に合わせて様々な方向に容易に変形するため、着用者の姿勢に関わらず吸収性物品１を着用者に密着させることができる。また、図１に示すスペーサ部材２４１、並びに、図１０．Ａないし図１０．Ｆに示すスペーサ部材２４１ａ〜２４１ｆは製造が容易であるため、これらのスペーサ部材を含むスペーサ２４を備える吸収性物品１の製造を簡素化することができる。
【００６８】
以上、本発明の実施の形態について説明してきたが、本発明は上記実施の形態に限定されるものではなく、様々な変更が可能である。
【００６９】
例えば、吸収コア２２は必ずしもパルプを含む必要はなく、透液性の不織布やプラスチックフィルム上にホットメルト接着剤等によりＳＡＰが直接接合されたものが吸収コア２２として利用されてもよい。吸収性物品１では、必ずしもバックシート部材２３の側端部が折り返されて折り返し部が形成される必要はなく、また、前部吸収コア２２１の左右方向の幅は、後部吸収コア２２３の左右方向の幅とおよそ等しくされてもよい。
【００７０】
上記実施の形態に係る吸収性物品１では、前部吸収コア２２１、側部吸収コア２２２および後部吸収コア２２３が一体的に形成されているが、例えば、前部吸収コア２２１、一対の側部吸収コア２２２および後部吸収コア２２３がそれぞれ個別に形成され、開口２５を形成するように隣接して配置されて（すなわち、コア被覆シート２１の開口の周囲に配置されて）コア被覆シート２１により被覆されてもよい。
【００７１】
スペーサ２４は、軟便等の排泄物が通過可能な複数の穴を有し、または、バックシート部材２３もしくは吸収性シート部材２０との間にて排泄物が通過可能な通路を形成する構造を有し、排泄物をスペーサ２４の内部空間へと導くことが可能とされる、または、スペーサ２４を排泄物が通過可能とされるのであれば、必ずしも上述の形状を有する必要はない。
【００７２】
例えば、図１１に断面にて示すように、吸収性物品１の厚さ方向における凹凸が長手方向に交互に繰り返される板状部材（いわゆる、波板）が、スペーサ部材２４１ｇとして利用されてもよい。スペーサ部材２４１ｇは、平面視において長手方向に伸びるとともに螺旋状のスペーサ部材２４１（図１参照）におよそ等しい幅を有する帯状の部材であり、好ましくは、開口２５の左右両側に配置される。この場合、スペーサ部材２４１ｇの凸部（すなわち、吸収性シート部材２０に向けて突出する部位）の下面とバックシート部材２３との間、および、スペーサ部材２４１ｇの凹部（すなわち、バックシート部材２３に向けて突出する部位）の上面と吸収性シート部材２０との間に、排泄物が通過可能な通路が形成される。
【００７３】
また、図１２に断面にて示すように、吸収性シート部材２０に接合される長手方向に伸びる帯状の平板部２４３、および、平板部２４３の下面からバックシート部材２３に向けて突出するとともに長手方向に配列された複数の櫛歯（すなわち、長手方向に間欠的に配列された複数の棒状部）を有する櫛歯部２４４を備える部材が、スペーサ部材２４１ｈとして利用されてもよい。この場合、スペーサ部材２４１ｈの複数の櫛歯の間の空間が、排泄物が通過可能な通路となる。換言すれば、スペーサ部材２４１ｇ，２４１ｈが、吸収性シート部材２０および／またはバックシート部材２３に長手方向において間欠的に当接することにより、スペーサ部材２４１ｇ，２４１ｈと吸収性シート部材２０および／またはバックシート部材２３との間に、排泄物が通過可能な通路が形成される。なお、スペーサ部材２４１ｈでは、櫛歯部２４４に代えて、複数の穴が形成された平板が設けられてもよい。
【００７４】
吸収性シート部材２０では、着用者の身体に沿うように吸収性物品１を容易に変形することができる場合は、開口２５の左右方向の両側にて一対のスペーサ部材に沿って長手方向に伸びる一対のコア部弾性部材２９は省略されてもよい。スペーサ２４は、開口２５の左右両側に位置する一対のスペーサ部材に加えて、例えば、前部ポケット２６または後部ポケット２７の内部空間の開口２５近傍にておよそ左右方向に伸びるスペーサ部材を含んでいてもよく、これらのスペーサ部材が連続してＵ字型の１つの部材として一体的に形成されてもよい。また、開口２５の全周を取り囲む略円環状の部材がスペーサ２４として利用されてもよい。開口２５の長手方向の大きさを大きく維持するという観点からは、開口２５の左右両側に位置する一対のスペーサ部材がスペーサ２４に含まれることが好ましいが、開口２５の大きさが十分に維持できるのであれば、当該一対のスペーサ部材は省略され、前部ポケット２６および／または後部ポケット２７の内部空間において、少なくとも一部が開口２５近傍に位置するスペーサ２４が設けられてもよい。
【００７５】
上記実施の形態に係るスペーサ２４は軟質プラスチック等の樹脂により形成されるが、スペーサ２４により着用者の肌が強く圧迫されないのであれば、他の材料により形成された部材（例えば、金属により形成されたコイルバネ）がスペーサ２４として利用されてもよい。また、スペーサ２４により着用者の肌が強く圧迫されないのであれば、吸収性シート部材２０から側部吸収コア２２２が省略されてもよい。
【００７６】
図１３は、吸収性物品の他の好ましい例を示す平面図である。図１３に示す吸収性物品１ａでは、開口２５ａの長手方向の大きさが、吸収性物品１の開口２５（図１参照）よりも小さく、後部吸収コア２２３ａおよび後部ポケット２７ａの長手方向の大きさが、吸収性物品１の後部吸収コア２２３および後部ポケット２７（図１参照）よりも大きい。また、開口２５ａの左右方向の幅は吸収性物品１の開口２５よりも大きく、開口２５ａの左右に側部吸収コアは設けられない。
【００７７】
吸収性物品１ａでは、スペーサ２４の一対のスペーサ部材２４１（すなわち、螺旋状の部材）が、開口２５の左右両側の側部ポケット２８ａ内から後部ポケット２７ａ内まで伸びており、これにより、側部ポケット２８ａおよび後部ポケット２７ａの収容力低下を抑制しつつ側部ポケット２８ａおよび後部ポケット２７ａの内部空間を維持することができる。
【００７８】
吸収性物品１では、排泄物の収容力を大きくするためには、吸収性シート部材２０とバックシート部材２３との間に前部ポケット２６、側部ポケット２８および後部ポケット２７が設けられることが好ましい。ただし、排泄物の収容力が十分確保されるのであれば、例えば、前部ポケット２６および側部ポケット２８のみが吸収性シート部材２０とバックシート部材２３との間に設けられ、後部ポケット２７は省略されてもよい。後部ポケット２７が設けられない場合、スペーサ２４は開口２５よりも後側には設けられず、開口２５の左右両側のみ、あるいは、開口２５の左右両側から前部ポケット２６内まで設けられる。また、吸収性シート部材２０の開口２５よりも後側の部位は、およそ全面に亘ってバックシート部材２３に接合される。なお、この場合、吸収性シート部材２０から後部吸収コア２２３が省略されてもよい。
【００７９】
吸収性物品１では、例えば、後部ポケット２７および側部ポケット２８のみが設けられ、前部ポケット２６および前部吸収コア２２１が省略されてもよい。あるいは、側部ポケット２８も省略されて後部ポケット２７のみが設けられてもよく、前部ポケット２６および後部ポケット２７が省略されて側部ポケット２８のみが設けられてもよい。換言すれば、吸収性物品１において、開口２５に隣接する吸収コア２２とバックシート部材２３との間にて開口２５から広がるポケットは、前部ポケット２６、一対の側部ポケット２８および後部ポケット２７の少なくとも１つであればよく、スペーサ２４は当該ポケットの内部空間において開口２５近傍に配置される。
【００８０】
吸収性物品１では、バックシート部材２３と吸収性シート部材２０との間に配置されるとともに開口２５の左右においてバックシート部材２３の長手方向に伸びる一対のスペーサ部材を含むスペーサ、および、当該一対のスペーサ部材に沿ってコア被覆シート２１に接合されてスペーサに収縮力を与える一対のコア部弾性部材２９を備えることにより、ポケットの内部空間を維持しつつ吸収性物品１を着用者の身体に沿うように容易に変形することができる。
【００８１】
吸収性シート部材２０では、コア被覆シート２１は１枚のシート部材とされてもよく、この場合、当該シート部材の吸収コア２２の着用者側を覆う部位が第１被覆シート２１１に相当し、吸収コア２２のバックシート部材２３側を覆う部位が第２被覆シート２１２に相当する。また、コア被覆シート２１は、少なくとも吸収コア２２の着用者側を覆っていればよい。バックシート部材２３は、少なくとも撥水性または不透液性の外装シート２３１を備えていればよく、親水性シート２３２および吸収シート２３３のいずれか一方または両方が省略されてもよい。
【００８２】
上述の吸収性物品の構造は、外装物品の内側に取り付けられる補助吸収具以外にも、例えば、上端に胴部開口を有し、下部に一対の脚部開口を有するパンツタイプの使い捨ておむつや、着用者の腹側に当接する部位と背側に当接する部位とを腰回りで止着して着用するオープンタイプの使い捨ておむつに適用されてよい。
【符号の説明】
【００８３】
１，１ａ  吸収性物品
２０  吸収性シート部材
２１  コア被覆シート
２２  吸収コア
２３  バックシート部材
２４  スペーサ
２５，２５ａ  開口
２６  前部ポケット
２７，２７ａ  後部ポケット
２８，２８ａ  側部ポケット
２９  コア部弾性部材
３４  側壁部
２２１  前部吸収コア
２２２  側部吸収コア
２２３，２２３ａ  後部吸収コア
２４１，２４１ａ〜２４１ｈ  スペーサ部材
２４２ａ〜２４２ｆ  穴
【図１】
2010284243.tif 000003
【図２】
2010284243.tif 000004
【図３】
2010284243.tif 000005
【図４】
2010284243.tif 000006
【図５】
2010284243.tif 000007
【図６】
2010284243.tif 000008
【図７】
2010284243.tif 000009
【図８】
2010284243.tif 000010
【図９】
2010284243.tif 000011
【図１０．Ａ】
2010284243.tif 000012
【図１０．Ｂ】
2010284243.tif 000013
【図１０．Ｃ】
2010284243.tif 000014
【図１０．Ｄ】
2010284243.tif 000015
【図１０．Ｅ】
2010284243.tif 000016
【図１０．Ｆ】
2010284243.tif 000017
【図１１】
2010284243.tif 000018
【図１２】
2010284243.tif 000019
【図１３】
2010284243.tif 000020